(57)【特許請求の範囲】
【請求項１】
第１のセルのためのサブチャネルのサブセットを決定することと、サブチャネルの前記サブセットが、少なくとも前記第１のセル中の第１のユーザ機器（ＵＥ）からの第２のセル中の少なくとも第２のＵＥへの干渉を低減するようにパターンに基づいて構成され、
前記第１のセルにおいて受信された、前記第２のＵＥが前記第１のＵＥからの基準信号を検出したことを示すメッセージに少なくとも基づいて、前記第１のセル中の前記第１のＵＥが前記第２のセル中の前記第２のＵＥに干渉しているかどうかを決定することと、ここにおいて、前記メッセージが、前記基準信号を前記第２のＵＥに送るようにとの命令を前記第１のセルが前記第１のＵＥに送ることに応じて、前記第１のＵＥまたは前記第２のセルのうちの少なくとも１つから受信され、
前記第１のセル中の前記第１のＵＥが前記第２のセル中の前記第２のＵＥに干渉しているとき、サブチャネルの前記サブセットからの少なくとも１つのサブチャネルを前記第１のＵＥに割り振ることと、ここにおいて、前記少なくとも１つのサブチャネルが、前記第１のセル中の前記第１のＵＥと第３のＵＥとの間でのデバイスツーデバイス（Ｄ２Ｄ）通信のために前記第１のＵＥに割り振られ、前記第１のセル中の前記第１のＵＥが前記第２のセル中の前記第２のＵＥに干渉していないとき、すべてのサブチャネルが前記第１のセル中の前記第１のＵＥにとって利用可能であり、前記第３のＵＥから報告された測定値に基づいてすべてのサブチャネルのうちの１つまたは複数が前記第１のＵＥに割り振られる、
を備える、ワイヤレス通信の方法。
【請求項２】
前記第１のセルのためのサブチャネルの前記サブセット中のサブチャネルが前記第２のセルのためのサブチャネルのサブセットから除外される、請求項１に記載の方法。
【請求項３】
前記第１のセルのためのサブチャネルの前記サブセットが前記第１のセルのセクタに割り当てられ、前記第１のセルのためのサブチャネルの前記サブセットが、前記第１のセルの前記セクタに隣接する前記第２のセルのセクタ中の少なくとも前記第２のＵＥへの干渉を低減するようにさらに構成された、請求項１に記載の方法。
【請求項４】
前記割振りが前記第１のＵＥの現在セクタに基づく、請求項３に記載の方法。
【請求項５】
前記第２のセルが前記第１のセルに隣接する、請求項１に記載の方法。
【請求項６】
前記第１のＵＥが、前記第１のセル中のＤ２Ｄペア中の送信機であり、前記少なくとも１つのサブチャネルが前記Ｄ２Ｄ通信のためのものである、請求項１に記載の方法。
【請求項７】
請求項１ないし６のいずれか一項に記載の方法を行うための手段
を備える、ワイヤレス通信のための装置。
【請求項８】
メモリと、
前記メモリに結合され、かつ請求項１ないし６のいずれか一項に記載の方法を行うように構成された少なくとも１つのプロセッサと
を備える、ワイヤレス通信のための装置。
【請求項９】
請求項１ないし６のいずれか一項に記載の方法を実行するためのワイヤレス通信のためのコンピュータ実行可能コードを記憶するコンピュータ可読媒体。
【請求項１０】
第１のユーザ機器（ＵＥ）のワイヤレス通信の方法であって、
第２のＵＥから送られた基準信号を検出することに少なくとも基づいて、第１のセル中の前記第１のＵＥが第２のセル中の前記第２のＵＥに干渉しているかどうかを決定することと、ここにおいて、前記第１のＵＥが、前記第１のＵＥにおいて検出された前記基準信号の強度がしきい値を上回るとき、前記第２のＵＥに干渉していると決定され、前記基準信号は、前記第２のＵＥに関連するセルを識別するための情報を含み、
前記第１のＵＥが前記第２のセル中の前記第２のＵＥからの前記基準信号を検出したこと示すメッセージを基地局に送ることと、前記メッセージは、前記第２のＵＥに関連する前記セルを識別するための前記情報を含み、
前記第１のセル中の前記第１のＵＥが前記第２のセル中の前記第２のＵＥに干渉しているとき、前記第１のセルのためのサブチャネルのサブセットからの少なくとも１つのサブチャネルの割振りを受信することと、サブチャネルの前記サブセットが、前記第２のセル中の少なくとも前記第２のＵＥへの干渉を低減するように構成され、ここにおいて、前記少なくとも１つのサブチャネルが、前記第１のセル中の前記第１のＵＥと第３のＵＥとの間でのデバイスツーデバイス（Ｄ２Ｄ）通信のために前記第１のＵＥに割り振られ、前記第１のセル中の前記第１のＵＥが前記第２のセル中の前記第２のＵＥに干渉していないとき、すべてのサブチャネルが前記第１のセル中の前記第１のＵＥにとって利用可能である、
を備える、方法。
【請求項１１】
前記第１のセルのためのサブチャネルの前記サブセット中のサブチャネルが前記第２のセルのためのサブチャネルのサブセットから除外される、請求項１０に記載の方法。
【請求項１２】
前記第１のセルのためのサブチャネルの前記サブセットが前記第１のセルのセクタに割り当てられ、前記第１のセルのためのサブチャネルの前記サブセットが、前記第１のセルの前記セクタに隣接する前記第２のセルのセクタ中の少なくとも前記第２のＵＥへの干渉を低減するようにさらに構成された、請求項１０に記載の方法。
【請求項１３】
前記割振りが前記第１のＵＥの現在セクタに基づく、請求項１２に記載の方法。
【請求項１４】
前記第２のセルが前記第１のセルに隣接する、請求項１０に記載の方法。
【請求項１５】
前記第１のＵＥが、前記第１のセル中のＤ２Ｄペア中の送信機であり、前記少なくとも１つのサブチャネルが前記Ｄ２Ｄ通信のためのものである、請求項１０に記載の方法。
【請求項１６】
請求項１０ないし１５のいずれか一項に記載の方法を行うための手段
を備える、ワイヤレス通信のための装置。
【請求項１７】
メモリと、
前記メモリに結合され、かつ請求項１０ないし１５のいずれか一項に記載の方法を行うように構成された少なくとも１つのプロセッサと
を備える、ワイヤレス通信のための装置。
【請求項１８】
請求項１０ないし１５のいずれか一項に記載の方法を実行するためのワイヤレス通信のためのコンピュータ実行可能コードを記憶するコンピュータ可読媒体。
【発明の詳細な説明】
【技術分野】
【０００１】
関連出願の相互参照
[0001]本出願は、その全体が参照により本明細書に明確に組み込まれる、２０１４年２月２６日に出願された「SIGNALLING FOR FRACTIONAL FREQUENCY REUSE (FFR) FOR D2D COMMUNICATIONS」と題する米国特許出願第１４／１９１，３３４号の利益を主張する。
【０００２】
[0002]本開示は、一般に通信システムに関し、より詳細には、デバイスツーデバイス（Ｄ２Ｄ）通信のためのＦＦＲのためのシグナリングに関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善すること、コストを下げること、サービスを改善すること、新しいスペクトルを利用すること、およびダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示の一態様では、方法、コンピュータプログラム製品、および装置が提供される。本装置（たとえば、ｅＮＢ８０８）は、第１のセルのためのサブチャネルのサブセットを決定することと、サブチャネルのサブセットが、第２のセル中の少なくとも第２のＵＥへの干渉を低減するように構成され、第１のセル中の第１のユーザ機器（ＵＥ）が第２のセル中の第２のＵＥに干渉しているかどうかを決定することと、第１のセル中の第１のＵＥが第２のセル中の第２のＵＥに干渉しているとき、サブチャネルのサブセットからの少なくとも１つのサブチャネルを第１のＵＥに割り振ることとを行う。
【０００６】
[0006]本開示の一態様では、方法、コンピュータプログラム製品、および装置が提供される。本装置は第１のＵＥ（たとえば、第１のＵＥ８１４）であり得る。第１のＵＥは、第１のセル中の第１のＵＥが第２のセル中の第２のＵＥに干渉しているかどうかを決定することと、第１のセル中の第１のＵＥが第２のセル中の第２のＵＥに干渉しているとき、第１のセルのためのサブチャネルのサブセットからの少なくとも１つのサブチャネルの割振りを受信することと、サブチャネルのサブセットが、第２のセル中の少なくとも第２のＵＥへの干渉を低減するように構成された、を行う。
【図面の簡単な説明】
【０００７】
【図１】[0007]ネットワークアーキテクチャの一例を示す図。
【図２】[0008]アクセスネットワークの一例を示す図。
【図３】[0009]ＬＴＥにおけるＤＬフレーム構造の一例を示す図。
【図４】[0010]ＬＴＥにおけるＵＬフレーム構造の一例を示す図。
【図５】[0011]ユーザプレーンおよび制御プレーンのための無線プロトコルアーキテクチャの一例を示す図。
【図６】[0012]アクセスネットワーク中の発展型ノードＢおよびユーザ機器の一例を示す図。
【図７】[0013]デバイスツーデバイス通信システムの図。
【図８】[0014]本開示の様々な態様による、通信システムを示す図。
【図９】[0015]本開示の様々な態様による、通信システムを示す図。
【図１０】[0016]本開示の様々な態様による、通信システムを示す図。
【図１１】[0017]ワイヤレス通信の方法のフローチャート。
【図１２】[0018]例示的な装置における異なるモジュール／手段／構成要素間のデータフローを示す概念データフロー図。
【図１３】[0019]処理システムを採用する装置のためのハードウェア実装形態の一例を示す図。
【図１４】[0020]ワイヤレス通信の方法のフローチャート。
【図１５】[0021]例示的な装置における異なるモジュール／手段／構成要素間のデータフローを示す概念データフロー図。
【図１６】[0022]処理システムを採用する装置のためのハードウェア実装形態の一例を示す図。
【発明を実施するための形態】
【０００８】
[0023]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【０００９】
[0024]次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素がハードウェアとして実装されるか、ソフトウェアとして実装されるかは、特定の適用例および全体的なシステムに課される設計制約に依存する。
【００１０】
[0025]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実施するように構成された他の好適なハードウェアがある。処理システム内の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１１】
[0026]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。上記の組合せもコンピュータ可読媒体の範囲内に含まれるべきである。
【００１２】
[0027]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、事業者のインターネットプロトコル（ＩＰ）サービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者が容易に諒解するように、本開示全体にわたって提示する様々な概念は、回線交換サービスを提供するネットワークに拡張され得る。
【００１３】
[0028]Ｅ−ＵＴＲＡＮは、発展型ノードＢ（ｅＮＢ：evolved Node B）１０６と、他のｅＮＢ１０８と、マルチキャスト協調エンティティ（ＭＣＥ：Multicast Coordination Entity）１２８とを含む。ｅＮＢ１０６は、ＵＥ１０２に対してユーザプレーンプロトコル終端と制御プレーンプロトコル終端とを与える。ｅＮＢ１０６は、バックホール（たとえば、Ｘ２インターフェース）を介して他のｅＮＢ１０８に接続され得る。ＭＣＥ１２８は発展型マルチメディアブロードキャストマルチキャストサービス（ＭＢＭＳ：Multimedia Broadcast Multicast Service）（ｅＭＢＭＳ）のために時間／周波数無線リソースを割り振り、ｅＭＢＭＳのために無線構成（たとえば、変調およびコーディング方式（ＭＣＳ：modulation and coding scheme））を決定する。ＭＣＥ１２８は別個のエンティティまたはｅＮＢ１０６の一部であり得る。ｅＮＢ１０６は、基地局、ノードＢ、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１４】
[0029]ｅＮＢ１０６はＥＰＣ１１０に接続される。ＥＰＣ１１０は、モビリティ管理エンティティ（ＭＭＥ：Mobility Management Entity）１１２と、ホーム加入者サーバ（ＨＳＳ：Home Subscriber Server）１２０と、他のＭＭＥ１１４と、サービングゲートウェイ１１６と、マルチメディアブロードキャストマルチキャストサービス（ＭＢＭＳ）ゲートウェイ１２４と、ブロードキャストマルチキャストサービスセンタ（ＢＭ−ＳＣ：Broadcast Multicast Service Center）１２６と、パケットデータネットワーク（ＰＤＮ：Packet Data Network）ゲートウェイ１１８とを含み得る。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８とＢＭ−ＳＣ１２６とはＩＰサービス１２２に接続される。ＩＰサービス１２２は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１２６は、ＭＢＭＳユーザサービスプロビジョニングおよび配信のための機能を与え得る。ＢＭ−ＳＣ１２６は、コンテンツプロバイダＭＢＭＳ送信のためのエントリポイントとして働き得、ＰＬＭＮ内のＭＢＭＳベアラサービスを許可し、開始するために使用され得、ＭＢＭＳ送信をスケジュールし、配信するために使用され得る。ＭＢＭＳゲートウェイ１２４は、特定のサービスをブロードキャストするマルチキャストブロードキャスト単一周波数ネットワーク（ＭＢＳＦＮ：Multicast Broadcast Single Frequency Network）エリアに属するｅＮＢ（たとえば、１０６、１０８）にＭＢＭＳトラフィックを配信するために使用され得、セッション管理（開始／停止）と、ｅＭＢＭＳ関係の課金情報を収集することとを担当し得る。
【００１５】
[0030]図２は、ＬＴＥネットワークアーキテクチャにおけるアクセスネットワーク２００の一例を示す図である。この例では、アクセスネットワーク２００はいくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（たとえば、ホームｅＮＢ（ＨｅＮＢ））、ピコセル、マイクロセル、またはリモートラジオヘッド（ＲＲＨ）であり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例では集中型コントローラはないが、代替構成では集中型コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。ｅＮＢは１つまたは複数の（たとえば、３つの）（セクタとも呼ばれる）セルをサポートし得る。「セル」という用語は、ｅＮＢおよび／または特定のカバレージエリアをサービスするｅＮＢサブシステムの最小カバレージエリアを指すことがある。さらに、「ｅＮＢ」、「基地局」、および「セル」という用語は、本明細書では互換的に使用されることがある。
【００１６】
[0031]アクセスネットワーク２００によって採用される変調および多元接続方式は、展開されている特定の電気通信規格に応じて異なり得る。ＬＴＥ適用例では、周波数分割複信（ＦＤＤ）と時分割複信（ＴＤＤ）の両方をサポートするために、ＯＦＤＭがＤＬ上で使用され、ＳＣ−ＦＤＭＡがＵＬ上で使用される。当業者が以下の詳細な説明から容易に諒解するように、本明細書で提示する様々な概念はＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、移動局にブロードバンドインターネットアクセスを提供するためにＣＤＭＡを採用する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは３ＧＰＰ団体からの文書に記載されている。ＣＤＭＡ２０００およびＵＭＢは３ＧＰＰ２団体からの文書に記載されている。採用される実際のワイヤレス通信規格および多元接続技術は、特定の適用例およびシステムに課される全体的な設計制約に依存することになる。
【００１７】
[0032]ｅＮＢ２０４は、ＭＩＭＯ技術をサポートする複数のアンテナを有し得る。ＭＩＭＯ技術の使用により、ｅＮＢ２０４は、空間多重化と、ビームフォーミングと、送信ダイバーシティとをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグネチャとともに（１つまたは複数の）ＵＥ２０６に到着し、これにより、（１つまたは複数の）ＵＥ２０６の各々は、そのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、各空間的にプリコーディングされたデータストリームのソースを識別することが可能になる。
【００１８】
[0033]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを介した送信のためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１９】
[0034]以下の詳細な説明では、ＤＬ上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間される。離間は、受信機がサブキャリアからデータを復元することを可能にする「直交性」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２０】
[0035]図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、ノーマルサイクリックプレフィックスの場合、リソースブロックは、合計８４個のリソース要素について、周波数領域中に１２個の連続するサブキャリアを含んでおり、時間領域中に７個の連続するＯＦＤＭシンボルを含んでいる。拡張サイクリックプレフィックスの場合、リソースブロックは、合計７２個のリソース要素について、周波数領域中に１２個の連続するサブキャリアを含んでおり、時間領域中に６個の連続するＯＦＤＭシンボルを含んでいる。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上のみで送信される。各リソース要素によって搬送されるビット数は変調方式に依存する。したがって、ＵＥが受信するリソースブロックが多いほど、また変調方式が高いほど、ＵＥのデータレートは高くなる。
【００２１】
[0036]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続サブキャリアのすべてを単一のＵＥに割り当てることを可能にし得る連続サブキャリアを含むデータセクションを生じる。
【００２２】
[0037]ＵＥは、ｅＮＢに制御情報を送信するために、制御セクション中のリソースブロック４１０ａ、４１０ｂを割り当てられ得る。ＵＥは、ｅＮＢにデータを送信するために、データセクション中のリソースブロック４２０ａ、４２０ｂをも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００２３】
[0038]初期システムアクセスを実施し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥはフレーム（１０ｍｓ）ごとに単一のＰＲＡＣＨ試みのみを行うことができる。
【００２４】
[0039]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、３つのレイヤ、すなわち、レイヤ１、レイヤ２、およびレイヤ３で示される。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００２５】
[0040]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００２６】
[0041]ＰＤＣＰサブレイヤ５１４は、異なる無線ベアラと論理チャネルとの間の多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するためのデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００２７】
[0042]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（たとえば、無線ベアラ）を取得することと、ｅＮＢとＵＥとの間のＲＲＣシグナリングを使用して下位レイヤを構成することとを担当する。
【００２８】
[0043]図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５は、ヘッダ圧縮と、暗号化と、パケットのセグメンテーションおよび並べ替えと、論理チャネルとトランスポートチャネルとの間の多重化と、様々な優先度メトリックに基づくＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００２９】
[0044]送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを可能にするためのコーディングとインターリービングとを含む。コーディングされ変調されたシンボルは、次いで並列ストリームに分割される。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられ得る。各送信機６１８ＴＸは、送信のためにそれぞれの空間ストリームでＲＦキャリアを変調し得る。
【００３０】
[0045]ＵＥ６５０において、各受信機６５４ＲＸは、それのそれぞれのアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実施し得る。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ６１０によって送信される、可能性が最も高い信号コンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いで、コントローラ／プロセッサ６５９に与えられる。
【００３１】
[0046]コントローラ／プロセッサ６５９はＬ２レイヤを実装する。コントローラ／プロセッサは、プログラムコードとデータとを記憶するメモリ６６０に関連付けられ得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間の多重分離と、パケットリアセンブリと、暗号解読（decipher）と、ヘッダ復元（decompression）と、制御信号処理とを行う。上位レイヤパケットは、次いで、Ｌ２レイヤの上のすべてのプロトコルレイヤを表す、データシンク６６２に与えられる。また、様々な制御信号がＬ３処理のためにデータシンク６６２に与えられ得る。コントローラ／プロセッサ６５９はまた、ＨＡＲＱ動作をサポートするために、肯定応答（ＡＣＫ）および／または否定応答（ＮＡＣＫ）プロトコルを使用する誤り検出を担当する。
【００３２】
[0047]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメンテーションおよび並べ替えと、ｅＮＢ６１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００３３】
[0048]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられ得る。各送信機６５４ＴＸは、送信のためにそれぞれの空間ストリームでＲＦキャリアを変調し得る。
【００３４】
[0049]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３５】
[0050]コントローラ／プロセッサ６７５はＬ２レイヤを実装する。コントローラ／プロセッサ６７５は、プログラムコードとデータとを記憶するメモリ６７６に関連付けられ得る。メモリ６７６はコンピュータ可読媒体と呼ばれることがある。ＵＬでは、コントロール／プロセッサ６７５は、ＵＥ６５０からの上位レイヤパケットを復元するために、トランスポートチャネルと論理チャネルとの間の多重分離と、パケットリアセンブリと、暗号解読と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするために、ＡＣＫおよび／またはＮＡＣＫプロトコルを使用する誤り検出を担当する。
【００３６】
[0051]図７は（Ｄ２Ｄとも呼ばれる）デバイスツーデバイス通信システム７００の図である。デバイスツーデバイス通信システム７００は複数のワイヤレスデバイス７０４、７０６、７０８、７１０を含む。デバイスツーデバイス通信システム７００は、たとえば、ワイヤレスワイドエリアネットワーク（ＷＷＡＮ）などのセルラー通信システムと重なり得る。ワイヤレスデバイス７０４、７０６、７０８、７１０の一部は、ＤＬ／ＵＬ  ＷＷＡＮスペクトルを使用してデバイスツーデバイス通信において互いに通信し、一部は基地局７０２と通信し、一部は両方を行い得る。たとえば、図７に示されているように、ワイヤレスデバイス７０８、７１０はデバイスツーデバイス通信中であり、ワイヤレスデバイス７０４、７０６はデバイスツーデバイス通信中である。ワイヤレスデバイス７０４、７０６は基地局７０２とも通信している。
【００３７】
[0052]以下で説明する例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイスツーデバイス通信システムなど、様々なワイヤレスデバイスツーデバイス通信システムのいずれにも適用可能である。説明を簡略化するために、例示的な方法および装置についてＬＴＥのコンテキスト内で説明する。ただし、例示的な方法および装置は様々な他のワイヤレスデバイスツーデバイス通信システムにより一般的に適用可能であることを、当業者は理解されよう。
【００３８】
[0053]ワイヤレス通信システム（たとえば、ＬＴＥネットワーク）では、ｅＮＢは、ｅＮＢによってカバーされるセル内でのデバイスツーデバイス通信に関与するＵＥのペアが使用するリソースを割り振り得、ここで、リソースは、ＵＥのペア間のデバイスツーデバイスリンクを確立するために使用される。しかしながら、通信システム中のｅＮＢの間のリアルタイム干渉協調がないことにより、ｅＮＢによってカバーされるセル中のＵＥ間のいくつかのデバイスツーデバイスリンクは、（ネイバリングセルとも呼ばれる）隣接セル中のＵＥによる送信からの高く予測不可能な干渉を受信することがある。したがって、セルにわたるリアルタイム干渉協調がない通信システム中のＵＥは、不十分なデバイスツーデバイスリンク性能を経験することがある。
【００３９】
[0054]図８は、本開示の様々な態様による、通信システム８００を示す図である。図８に示されているように、通信システム８００は、セル８０２においてカバレージを与える（基地局８０８とも呼ばれる）ｅＮＢ８０８と、セル８０４においてカバレージを与えるｅＮＢ８１０と、セル８０６においてカバレージを与えるｅＮＢ８１２とを含む。図８にさらに示されているように、セル８０２はＵＥ８１４、８１６、８３６、および８３８を含み、セル８０４はＵＥ８１８および８３２を含み、セル８０６はＵＥ８２０を含む。セル８０２において、ＵＥ８１４とＵＥ８１６とはリンク８３０を介してデバイスツーデバイス通信中であり、ＵＥ８３６とＵＥ８３８とはリンク８４０を介してデバイスツーデバイス通信中である。一態様では、リンク８３０および／またはリンク８４０のためのワイヤレスリソースはｅＮＢ８０８によって割り振られ得る。たとえば、リンク８３０および／またはリンク８４０のためのワイヤレスリソースはＷＷＡＮ  ＵＬスペクトルの全部または一部分を含み得る。
【００４０】
[0055]一態様では、通信システム８００中のｅＮＢの各々は、ＷＷＡＮ  ＵＬスペクトルを２つまたはそれ以上のサブチャネルに分割することによってデバイスツーデバイス通信のための部分周波数再利用（ＦＦＲ：fractional frequency reuse）方式を実装するように構成され得る。たとえば、サブチャネルの各々は異なる周波数または異なる周波数の範囲であり得る。一態様では、サブチャネルは互いに対して直交し得る。一態様では、通信システム８００中のＵＥの少なくとも１つのペア（たとえば、ＵＥ８１４とＵＥ８１６とのペア）は、デバイスツーデバイス通信のためのサブチャネルのうちの１つまたは複数を割り振られ得る。たとえば、通信システム８００中のＵＥの各ペアは、デバイスツーデバイス通信のための通信リンクを確立するためにサブチャネルのうちの１つまたは複数を使用し得る。一例では、図８を参照すると、ｅＮＢ８０８、８１０、および８１２は、ＷＷＡＮ  ＵＬスペクトル全体を、サブチャネル１、サブチャネル２、およびサブチャネル３など、３つのサブチャネルにそれぞれ分割し得る。そのような例では、ｅＮＢ（たとえば、ｅＮＢ８０８）は、ｅＮＢによってカバーされるセル中のＵＥ（たとえば、ＵＥ８１４、８１６、８３６、および／または８３８）に、そのようなＵＥが隣接セル（たとえば、セル８０４、８０６）中の他のＵＥ（たとえば、ＵＥ８１８、８３２、および／または８２０）に干渉していないとき、デバイスツーデバイス通信のためにサブチャネルのいずれかを割り振り得る。他の例では、ｅＮＢ８０８、８１０、および８１２は、ＷＷＡＮ  ＵＬスペクトル全体を、３つのサブチャネルよりも大きいまたは小さい数のサブチャネルにそれぞれ分割し得ることを理解されたい。
【００４１】
[0056]一態様では、通信システム８００中のｅＮＢの各々は、サブチャネルのサブセットを決定し得、ここで、サブチャネルのサブセットは、隣接セル中のＵＥへの干渉を低減するようにｅＮＢによって選択される。一態様では、以下で説明するように、各ｅＮＢは、所定のパターンに基づいてサブチャネルのサブセットを決定し得る。一態様では、セルのためのｅＮＢによって決定されたサブチャネルのサブセット中のサブチャネルは、隣接セルのための他のｅＮＢによって決定されたサブチャネルのサブセットから除外され得る。
【００４２】
[0057]たとえば、ｅＮＢ８０８は、サブチャネル１を含む第１のサブセットを決定し得、ｅＮＢ８１０は、サブチャネル２を含む第２のサブセットを決定し得、ｅＮＢ８１２は、サブチャネル３を含む第３のサブセットを決定し得る。ｅＮＢ８０８が、セル８０２中のＵＥ８１４が隣接セル（たとえば、セル８０４、８０６）中の他のＵＥ（たとえば、ＵＥ８１８、８３２、および／または８２０）に干渉していると決定した場合、ｅＮＢ８０８は、デバイスツーデバイス通信のために第１のサブセットからの（１つまたは複数の）サブチャネル（たとえば、サブチャネル１）をＵＥ８１４に割り振り得る。したがって、本例では、ＵＥ８１４は、ＵＥ８１６とのデバイスツーデバイス通信中にサブチャネル１を使用することに制限され得る。一態様では、隣接セル８０４中のＵＥ８１８がセル８０２中のＵＥ８１４からの送信によって引き起こされた干渉を検出した場合、ＵＥ８１８はその干渉をｅＮＢ８１０に報告し得る。その場合、ｅＮＢ８１０は、ＵＥ８３２とのデバイスツーデバイス通信のためにサブチャネル２および／またはサブチャネル３をＵＥ８１８に割り振り得る。一態様では、ｅＮＢ８１０は、ある時間期間中にＵＥ８１８によって使用されるべきリソースを決定するスケジューラを実装することによって、そのような割振りを実施し得る。したがって、ＵＥ８１４に割り振られるリソースがサブチャネル１に制限され得るので、ならびにＵＥ８１８がサブチャネル１とは異なるサブチャネル（たとえば、サブチャネル２および／またはサブチャネル３）および／またはサブチャネル１に直交するサブチャネルに割り振られ得るので、ＵＥ８１４からの送信によって引き起こされるＵＥ８１８への干渉は低減され得る。
【００４３】
[0058]一態様では、セル８０２中のＵＥ８１４が隣接するセル（たとえば、セル８０４、８０６）中の他のＵＥ（たとえば、ＵＥ８１８、８３２、および／または８２０）に干渉していない場合、隣接セル中のｅＮＢは、デバイスツーデバイス通信のために他のＵＥ（たとえば、ＵＥ８１８、８３２、および／または８２０）に（１つまたは複数の）サブチャネル（たとえば、サブチャネル１、サブチャネル２、および／またはサブチャネル３）のいずれをも割り振り得る。
【００４４】
[0059]一態様では、ｅＮＢは、より多くの周波数再利用を可能にするために、測定および報告に対して低速スケール電力制御を実装し得る。たとえば、２つのＵＥ（たとえば、ＵＥ８１４および８１６）間のショートリンク（たとえば、リンク８３０）は、ＳＲＳ送信電力に反映され得る低減電力データ送信を使用することができる。
【００４５】
[0060]一態様では、ｅＮＢ８０８は、セル８０２中のＵＥ８１４からの送信が、セル８０４中のＵＥ８１８および／またはセル８０６中のＵＥ８２０など、他のセル中のＵＥへの干渉を引き起こしているかどうかを決定し得る。１つの手法では、ＵＥ８１４は、測定目的および／または干渉検出目的で使用され得る、図８中の信号８２２などの信号を送信するように構成され得る。一態様では、ｅＮＢ８０８は、そのような信号（たとえば、信号８２２）を送信するようにとの命令をＵＥ８１４および／またはセル８０２中の他のＵＥに送り得る。たとえば、信号８２２はサウンディング基準信号（ＳＲＳ）であり得る。一態様では、隣接セル中のＵＥなど、セル外送信機から受信されたＳＲＳは、シーケンス／コム／オフセット(sequence/comb/offset)選択を使用して復号され得、ＳＲＳの送信機に関連するセルＩＤを識別するための情報を含み得る。
【００４６】
[0061]一態様では、セル８０４中のＵＥ８１８は、信号８２２の強度が第１のしきい値を超えるかどうかを決定し得る。信号８２２の強度が第１のしきい値を超える場合、ＵＥ８１８は、信号８２２がＵＥ８１８への干渉を引き起こしていると決定し得、ＵＥ８１４を干渉送信機として識別するメッセージ８２４をｅＮＢ８１０に送り得る。ＵＥ８１８はまた、信号８２２の強度を、リンク８３４を介したＵＥ８３２からのデバイスツーデバイス送信信号の強度と比較し、信号強度間の差が第２のしきい値よりも小さいかどうかを決定し得る。信号強度間の差が第２のしきい値（たとえば、１０ｄＢ）よりも小さい場合、ＵＥ８１８は、信号８２２がＵＥ８１８への干渉を引き起こしていると決定し得、ＵＥ８１４を干渉送信機として識別するメッセージ８２４をｅＮＢ８１０に送り得る。一態様では、ｅＮＢ８１０は、ＵＥ８１４がネイバリングセル８０４中のＵＥ８１８に干渉していることをｅＮＢ８０８に通知し得る。たとえば、ｅＮＢ８１０は、ｅＮＢ８０８とｅＮＢ８１０との間の（図８に示されていない）Ｘ２インターフェースを介して、またはバックホールシグナリングを介してｅＮＢ８０８に通知し得る。
【００４７】
[0062]別の手法では、ＵＥ８１８は、測定目的および／または干渉検出目的で使用され得る、図８中の信号８２６などの信号を送信するように構成され得る。一態様では、ｅＮＢ８１０は、信号８２６を送信するようにとの命令をＵＥ８１８および／またはセル８０４中の他のＵＥに送り得る。たとえば、信号８２６はＳＲＳであり得る。セル８０２中のＵＥ８１４は、信号８２６の強度がしきい値を超えるかどうかを決定し得る。信号８２６の強度がしきい値を超える場合、ＵＥ８１４は、ＵＥ８１４からの送信がＵＥ８１８への干渉を引き起こしている可能性があると決定し得る。一態様では、ＵＥ８１４は、ＵＥ８１４を干渉送信機として識別するメッセージ８２８をｅＮＢ８０８に送り得る。一態様では、ＵＥ８１８によって送信された信号８２６は、（セルＩＤとも呼ばれる）セル８０４を識別するための情報を含み得る。そのような態様では、ＵＥ８１４は、セルＩＤを決定するために信号８２６を復号し得、セルＩＤをメッセージ８２８中に含め得る。
【００４８】
[0063]一態様では、デバイスツーデバイスペア（たとえば、ＵＥ８１４とＵＥ８１６とのペア）中の受信機（たとえば、ＵＥ８１６）は、１つまたは複数のサブチャネル上で受信される干渉の量を決定するために、１つまたは複数のサブチャネル（たとえば、サブチャネル１、サブチャネル２、および／またはサブチャネル３）を測定し得る。一態様では、受信機は、ＷＷＡＮ  ＵＬ帯域幅全体にわたってすべてのサブチャネルを測定し得る。一態様では、受信機は、測定値（たとえば、１つまたは複数のサブチャネルについてのチャネル品質情報）をｅＮＢ（たとえば、ｅＮＢ８０８）に報告し得る。そのような態様では、ｅＮＢ８０８は、デバイスツーデバイス通信のためにデバイスツーデバイスペア中の送信機（たとえば、ＵＥ８１４）に割り振られるべき電力量および／または（１つまたは複数の）サブチャネルを決定するために、報告された測定値を使用し得る。
【００４９】
[0064]たとえば、図８の構成では、デバイスツーデバイスペア中の送信機（たとえば、ＵＥ８１４）が干渉送信機であると決定された場合、ｅＮＢ（たとえば、ｅＮＢ８０８）は、受信機（たとえば、ＵＥ８１６）からの報告された測定値にかかわらず送信機にサブチャネル１を割り振り得る。しかしながら、デバイスツーデバイスペア（たとえば、ＵＥ８１４とＵＥ８１６とのペア）中の送信機（たとえば、ＵＥ８１４）が干渉送信機であると決定されなかった場合、ｅＮＢ（たとえば、ｅＮＢ８０８）は、受信機（たとえば、ＵＥ８１６）からの報告された測定値に基づいてサブチャネル１、サブチャネル２、および／またはサブチャネル３のうちの１つまたは複数を送信機に割り振り得る。一態様では、ｅＮＢ（たとえば、ｅＮＢ８０８）は、干渉の低減および／またはリンク品質の改善を与えるサブチャネルのうちの１つまたは複数を割り振るために、報告された測定値を使用し得る。
【００５０】
[0065]図９は、本開示の様々な態様による、通信ネットワークのためのリソース割振り方式を示す図９００である。図９では、通信ネットワーク中のセル（たとえば、セル９０２、９０４、９０６）の各ｅＮＢは、所定のパターンに従ってデバイスツーデバイス通信のためにセル中の干渉送信機にサブチャネル（たとえば、サブチャネル１、サブチャネル２、またはサブチャネル３）を割り振るように構成され得る。たとえば、陰影を有しないセル（たとえば、セル９０２）のｅＮＢは干渉送信機にサブチャネル１を割り振り得、薄いグレーの陰影を有するセル（たとえば、セル９０４）のｅＮＢは干渉送信機にサブチャネル２を割り振り得、濃いグレーの陰影を有するセル（たとえば、セル９０６）のｅＮＢは干渉送信機にサブチャネル３を割り振り得る。一態様では、セル９０２、９０４、および９０６は、図８を参照しながら前に説明したセル８０２、８０４、および８０６に対応し得る。一態様では、図９の所定のパターンは、セル（たとえば、セル９０６）中の干渉送信機への割振りのためのサブチャネル（たとえば、サブチャネル３）が隣接セル（たとえば、セル９０２または９０４）中の他の干渉送信機に割り振られないように構成される。
【００５１】
[0066]図１０は、本開示の様々な態様による、通信ネットワークのためのリソース割振り方式を示す図１０００である。図１０では、通信ネットワーク中のセル（たとえば、セル１００２、１００４、１００６）の各ｅＮＢは、所定のパターンに従ってデバイスツーデバイス通信のためにセルの特定のセクタ（たとえば、セクタ１００８、１０１０、１０１２）中の干渉送信機にサブチャネル（たとえば、サブチャネル１、サブチャネル２、またはサブチャネル３）を割り振るように構成され得る。たとえば、セル１００４のｅＮＢは、陰影なしのセクタ（たとえば、セクタ１０１０）中の干渉送信機にサブチャネル１を割り振り、薄いグレーの陰影付きのセクタ（たとえば、セクタ１００８）中の干渉送信機にサブチャネル２を割り振り、濃いグレーの陰影付きのセクタ（たとえば、セクタ１０１２）中の干渉送信機にサブチャネル３を割り振り得る。図１０の所定のパターンは、セルのセクタ（たとえば、セル１００４のセクタ１０１２）中の干渉送信機への割振りのためのサブチャネル（たとえば、サブチャネル３）が他の隣接セクタ（たとえば、セクタ１０１４、１０１６、１０１８）中の他の干渉送信機に割り振られないように構成されることに留意されたい。
【００５２】
[0067]図１１は、ワイヤレス通信の方法のフローチャート１１００である。本方法は、図８中のｅＮＢ８０８など、ｅＮＢによって実施され得る。図１１中の破線を有するステップ（たとえば、ステップ１１０４、１１０６、１１０８、１１１２、１１１４、および１１１８）は随意のステップを表すことを理解されたい。
【００５３】
[0068]ステップ１１０２において、ｅＮＢは、第１のセルのためのサブチャネルのサブセットを決定する。たとえば、図８を参照すると、ｅＮＢ８０８は、ＷＷＡＮ  ＵＬスペクトル全体を、サブチャネル１、サブチャネル２、およびサブチャネル３など、３つのサブチャネルに分割し得、図８および図９を参照しながら上記で説明したように、所定のパターンに基づいてサブチャネルのサブセット（たとえば、サブチャネル１）を決定し得る。一態様では、サブチャネルのサブセットは、第２のセル中の少なくとも第２のＵＥへの干渉を低減するように構成され得る。一態様では、第１のセルのためのサブチャネルのサブセット中のサブチャネルは第２のセルのためのサブチャネルのサブセットから除外される。一態様では、第１のセル中の第１のＵＥが第２のセル中の第２のＵＥに干渉していないとき、すべてのサブチャネルが第１のセル中の第１のＵＥにとって利用可能であり得る。一態様では、第２のセルは第１のセルに隣接する。一態様では、第１のＵＥは、第１のセル中のＤ２Ｄペア中の送信機であり、少なくとも１つのサブチャネルはＤ２Ｄ通信のためのものである。
【００５４】
[0069]ステップ１１０４において、ｅＮＢは、基準信号を送信するようにとの命令を第１のＵＥに送る。たとえば、図８を参照すると、ｅＮＢ８０８は、信号８２２を送信するようにとの命令をＵＥ８１４に送り得る。たとえば、信号８２２はＳＲＳであり得る。
【００５５】
[0070]ステップ１１０６において、ｅＮＢは、第１のセル中の第１のＵＥから、第１のＵＥが第２のセル中の第２のＵＥからの基準信号を検出したことを示すメッセージを受信する。たとえば、図８を参照すると、ｅＮＢ８０８は、ＵＥ８１４から、ＵＥ８１４がセル８０４中のＵＥ８１８からの基準信号を検出したことを示すメッセージ８２８を受信し得る。
【００５６】
[0071]ステップ１１０８において、ｅＮＢは、基準信号が第２のセル中の第２のＵＥによって検出されたことを示すメッセージを受信する。一態様では、メッセージは、第１のＵＥ、第２のＵＥ、および／または第２のセルから受信される。たとえば、図８を参照すると、ｅＮＢ８０８は、ｅＮＢ８１０から、ＵＥ８１４がネイバリングセル８０４中のＵＥ８１８に干渉していることを示すメッセージを受信し得る。たとえば、ｅＮＢ８０８は、ｅＮＢ８０８とｅＮＢ８１０との間の（図８に示されていない）Ｘ２インターフェースを介して、またはバックホールシグナリングを介してｅＮＢ８１０からメッセージを受信し得る。
【００５７】
[0072]ステップ１１１０において、ｅＮＢは、第１のセル中の第１のＵＥが第２のセル中の第２のＵＥに干渉しているかどうかを決定する。一態様では、ｅＮＢは、第１のセル中の第１のＵＥが、ステップ１１０６における受信されたメッセージおよび／またはステップ１１０８における受信されたメッセージに基づいて、第２のセル中の第２のＵＥに干渉しているかどうかを決定し得る。
【００５８】
[0073]ステップ１１１２において、ｅＮＢは、サブチャネルのサブセットを第１のセルのセクタに割り当てる。一態様では、サブチャネルのサブセットは、第１のセルのセクタに隣接する第２のセルのセクタ中の少なくとも第２のＵＥへの干渉を低減するようにさらに構成され得る。たとえば、図１０を参照すると、セル１００４のｅＮＢは、サブチャネル１をセクタ１０１０に割り当て、サブチャネル２をセクタ１００８に割り当て、サブチャネル３をセクタ１０１２に割り当て得る。
【００５９】
[0074]ステップ１１１４において、ｅＮＢは、第１のＵＥが位置する現在セクタを決定する。一態様では、割振りは現在セクタに基づく。たとえば、図１０を参照すると、セル１００４のｅＮＢが、干渉ＵＥが現在セクタ１０１０中にあると決定した場合、ｅＮＢは、干渉ＵＥにサブチャネル１を割り振り得る。
【００６０】
[0075]ステップ１１１６において、ｅＮＢは、第１のセル中の第１のＵＥが第２のセル中の第２のＵＥに干渉しているとき、サブチャネルのサブセットからの少なくとも１つのサブチャネルを第１のＵＥに割り振る。たとえば、図８を参照すると、ｅＮＢ８０８は、ＵＥ８１８への干渉を引き起こしているセル８０２中のＵＥ（たとえば、ＵＥ８１４）にサブチャネル１を割り振り得、ここで、サブチャネル１は、ＵＥ８１６とのデバイスツーデバイス通信のためにＵＥ（たとえば、ＵＥ８１４）によって使用される。
【００６１】
[0076]ステップ１１１８において、ｅＮＢは、第１のセル中の第３のＵＥから報告を受信する。一態様では、第３のＵＥはＤ２Ｄペア中の受信機であり得、報告は、利用可能なサブチャネルのうちの１つまたは複数についてのチャネル品質情報を含み得る。一態様では、割振りは報告に基づく。たとえば、図８を参照すると、デバイスツーデバイスペア（たとえば、ＵＥ８１４とＵＥ８１６とのペア）中の受信機（たとえば、ＵＥ８１６）は、１つまたは複数のサブチャネル上で受信される干渉の量を決定するために、１つまたは複数のサブチャネル（たとえば、サブチャネル１、サブチャネル２、および／またはサブチャネル３）を測定し得、測定値（たとえば、１つまたは複数のサブチャネルについてのチャネル品質情報）をｅＮＢ（たとえば、ｅＮＢ８０８）に報告し得る。そのような例では、ｅＮＢ８０８は、デバイスツーデバイス通信のためにデバイスツーデバイスペア中の送信機（たとえば、ＵＥ８１４）に割り振られるべき電力量および／または（１つまたは複数の）サブチャネルを決定するために、報告された測定値を使用し得る。
【００６２】
[0077]図１２は、例示的な装置１２０２における異なるモジュール／手段／構成要素間のデータフローを示す概念データフロー図１２００である。本装置はｅＮＢであり得る。本装置は、第１のセル中の第１のＵＥから、第１のＵＥが第２のセル中の第２のＵＥからの基準信号を検出したことを示すメッセージを受信することと、基準信号が第２のセル中の第２のＵＥによって検出されたことを示すメッセージを受信することと、第１のセル中の第３のＵＥから報告を受信することとを行うモジュール１２０４と、第１のセルのためのサブチャネルのサブセットを決定することと、サブチャネルのサブセットが、第２のセル中の少なくとも第２のＵＥへの干渉を低減するように構成され、第１のセル中の第１のＵＥが第２のセル中の第２のＵＥに干渉しているかどうかを決定することと、第１のＵＥが位置する現在セクタを決定することとを行うモジュール１２０６と、サブチャネルのサブセットを第１のセルのセクタに割り当てるモジュール１２０８と、第１のセル中の第１のＵＥが第２のセル中の第２のＵＥに干渉しているとき、サブチャネルのサブセットからの少なくとも１つのサブチャネルを第１のＵＥに割り振るモジュール１２１０と、基準信号を送信するようにとの命令を第１のＵＥに送るモジュール１２１２と、第１のセル中の第１のＵＥ（たとえば、ＵＥ１２１６）に信号を送信するためのモジュール１２１４とを含む。
【００６３】
[0078]本装置は、図１１の上述のフローチャート中のアルゴリズムのステップの各々を実施する追加のモジュールを含み得る。したがって、図１１の上述のフローチャート中の各ステップは１つのモジュールによって実施され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００６４】
[0079]図１３は、処理システム１３１４を採用する装置１２０２’のためのハードウェア実装形態の一例を示す図１３００である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３０４によって表される１つまたは複数のプロセッサおよび／またはハードウェアモジュールと、モジュール１２０４、１２０６、１２０８、１２１０、１２１２、および１２１４と、コンピュータ可読媒体／メモリ１３０６とを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００６５】
[0080]処理システム１３１４はトランシーバ１３１０に結合され得る。トランシーバ１３１０は、１つまたは複数のアンテナ１３２０に結合される。トランシーバ１３１０は、伝送媒体を介して様々な他の装置と通信するための手段を与える。トランシーバ１３１０は、１つまたは複数のアンテナ１３２０から信号を受信し、受信された信号から情報を抽出し、抽出された情報を処理システム１３１４、特に受信モジュール１２０４に与える。さらに、トランシーバ１３１０は、処理システム１３１４、特に送信モジュール１２１４から情報を受信し、受信された情報に基づいて、１つまたは複数のアンテナ１３２０に適用されるべき信号を生成する。処理システム１３１４は、コンピュータ可読媒体／メモリ１３０６に結合されたプロセッサ１３０４を含む。プロセッサ１３０４は、コンピュータ可読媒体／メモリ１３０６に記憶されたソフトウェアの実行を含む一般的な処理を担当する。ソフトウェアは、プロセッサ１３０４によって実行されたとき、処理システム１３１４に、特定の装置のための上記で説明した様々な機能を実施させる。コンピュータ可読媒体／メモリ１３０６はまた、ソフトウェアを実行するときにプロセッサ１３０４によって操作されるデータを記憶するために使用され得る。処理システムは、モジュール１２０４、１２０６、１２０８、１２１０、１２１２、および１２１４のうちの少なくとも１つをさらに含む。それらのモジュールは、プロセッサ１３０４中で動作するか、コンピュータ可読媒体／メモリ１３０６中に常駐する／記憶されたソフトウェアモジュールであるか、プロセッサ１３０４に結合された１つまたは複数のハードウェアモジュールであるか、またはそれらの何らかの組合せであり得る。処理システム１３１４は、ｅＮＢ６１０の構成要素であり得、メモリ６７６、および／またはＴＸプロセッサ６１６と、ＲＸプロセッサ６７０と、コントローラ／プロセッサ６７５とのうちの少なくとも１つを含み得る。
【００６６】
[0081]一構成では、ワイヤレス通信のための装置１２０２／１２０２’は、第１のセルのためのサブチャネルのサブセットを決定するための手段と、サブチャネルのサブセットが、第２のセル中の少なくとも第２のＵＥへの干渉を低減するように構成され、第１のセル中の第１のＵＥが第２のセル中の第２のＵＥに干渉しているかどうかを決定するための手段と、第１のセル中の第１のＵＥが第２のセル中の第２のＵＥに干渉しているとき、サブチャネルのサブセットからの少なくとも１つのサブチャネルを第１のＵＥに割り振るための手段と、サブチャネルのサブセットを第１のセルのセクタに割り当てるための手段と、第１のＵＥが位置する現在セクタを決定するための手段と、第１のセル中の第１のＵＥから、第１のＵＥが第２のセル中の第２のＵＥからの基準信号を検出したことを示すメッセージを受信するための手段と、ここにおいて、決定がメッセージに基づき、基準信号を送信するようにとの命令を第１のＵＥに送るための手段と、基準信号が第２のセル中の第２のＵＥによって検出されたことを示すメッセージを受信するための手段と、第１のセル中の第３のＵＥから報告を受信するための手段とを含む。上述の手段は、上述の手段によって具陳された機能を実施するように構成された、装置１２０２、および／または装置１２０２’の処理システム１３１４の上述のモジュールのうちの１つまたは複数であり得る。上記で説明したように、処理システム１３１４は、ＴＸプロセッサ６１６と、ＲＸプロセッサ６７０と、コントローラ／プロセッサ６７５とを含み得る。したがって、一構成では、上述の手段は、上述の手段によって具陳された機能を実施するように構成された、ＴＸプロセッサ６１６と、ＲＸプロセッサ６７０と、コントローラ／プロセッサ６７５とであり得る。
【００６７】
[0082]図１４は、ワイヤレス通信の方法のフローチャート１４００である。本方法は、図８中の第１のＵＥ８１４など、第１のＵＥによって実施され得る。図１４中の破線を有するステップ（たとえば、ステップ１４０２、１４０４、および１４０８）は随意のステップを表すことを理解されたい。ステップ１４０２において、第１のＵＥは、基準信号を送信するようにとの命令を基地局から受信する。
【００６８】
[0083]ステップ１４０４において、第１のＵＥは、第２のセル中の第２のＵＥからの基準信号を検出する。一態様では、第２のセルは第１のセルに隣接する。たとえば、図８を参照すると、ＵＥ８１４は、ＵＥ８１８から送信された信号８２６を検出し得、ここで、信号８２６は、測定目的および／または干渉検出目的で使用され得る基準信号（たとえば、ＳＲＳ）であり得る。
【００６９】
[0084]ステップ１４０６において、第１のＵＥは、第１のセル中の第１のＵＥが第２のセル中の第２のＵＥに干渉しているかどうかを決定する。一態様では、決定は検出された基準信号に基づく。たとえば、図８を参照すると、セル８０２中のＵＥ８１４は、検出信号８２６の強度がしきい値を超えるかどうかを決定し得る。信号８２６の強度がしきい値を超える場合、ＵＥ８１４は、ＵＥ８１４からの送信がＵＥ８１８への干渉を引き起こしている可能性があると決定し得る。
【００７０】
[0085]ステップ１４０８において、第１のＵＥは、第１のＵＥが第２のセル中の第２のＵＥからの基準信号を検出したことを示すメッセージを基地局に送る。たとえば、図８を参照すると、ＵＥ８１４は、ＵＥ８１４を干渉送信機として識別するメッセージ８２８をｅＮＢ８０８に送り得る。
【００７１】
[0086]ステップ１４１０において、第１のＵＥは、第１のセル中の第１のＵＥが第２のセル中の第２のＵＥに干渉しているとき、第１のセルのためのサブチャネルのサブセットからの少なくとも１つのサブチャネルの割振りを受信する。一態様では、第１のＵＥは、第１のセル中のＤ２Ｄペア中の送信機であり、少なくとも１つのサブチャネルはＤ２Ｄ通信のためのものである。一態様では、サブチャネルのサブセットは、第２のセル中の少なくとも第２のＵＥへの干渉を低減するように構成される。一態様では、第１のセルのためのサブチャネルのサブセット中のサブチャネルは第２のセルのためのサブチャネルのサブセットから除外される。一態様では、サブチャネルのサブセットが第１のセルのセクタに割り当てられ、ここで、サブチャネルのサブセットは、第１のセルのセクタに隣接する第２のセルのセクタ中の少なくとも第２のＵＥへの干渉を低減するように構成される。一態様では、割振りは第１のＵＥの現在セクタに基づく。一態様では、第１のセル中の第１のＵＥが第２のセル中の第２のＵＥに干渉していないとき、すべてのサブチャネルが第１のセル中の第１のＵＥにとって利用可能である。
【００７２】
[0087]図１５は、例示的な装置１５０２における異なるモジュール／手段／構成要素間のデータフローを示す概念データフロー図１５００である。本装置はＵＥ（たとえば、第１のＵＥ８１４）であり得る。本装置は、基地局（たとえば、ｅＮＢ１５１６）から、基準信号を送信するようにとの命令を受信することと、第１のセル中の第１のＵＥが第２のセル中の第２のＵＥ（たとえば、ＵＥ１５１８）に干渉しているとき、第１のセルのためのサブチャネルのサブセットからの少なくとも１つのサブチャネルの割振りを受信することと、サブチャネルのサブセットが、第２のセル中の少なくとも第２のＵＥへの干渉を低減するように構成された、を行うモジュール１５０４と、第２のセル中の第２のＵＥからの基準信号を検出するモジュール１５０６と、第１のセル中の第１のＵＥが第２のセル中の第２のＵＥに干渉しているかどうかを決定するモジュール１５０８と、第１のＵＥが第２のセル中の第２のＵＥからの基準信号を検出したことを示すメッセージを基地局に送るモジュール１５１０とを含む。
【００７３】
[0088]本装置は、図１４の上述のフローチャート中のアルゴリズムのステップの各々を実施する追加のモジュールを含み得る。したがって、図１４の上述のフローチャート中の各ステップは１つのモジュールによって実施され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実施するように構成されたプロセッサによって実装されるか、プロセッサによる実装のためにコンピュータ可読媒体内に記憶されるか、またはそれらの何らかの組合せであり得る。
【００７４】
[0089]図１６は、処理システム１６１４を採用する装置１５０２’のためのハードウェア実装形態の一例を示す図１６００である。処理システム１６１４は、バス１６２４によって概略的に表されるバスアーキテクチャを用いて実装され得る。バス１６２４は、処理システム１６１４の特定の適用例および全体的な設計制約に応じて、任意の数の相互接続バスおよびブリッジを含み得る。バス１６２４は、プロセッサ１６０４によって表される１つまたは複数のプロセッサおよび／またはハードウェアモジュールと、モジュール１５０４、１５０６、１５０８、１５１０、１５１２、および１５１４と、コンピュータ可読媒体／メモリ１６０６とを含む様々な回路を互いにリンクする。バス１６２４はまた、タイミングソース、周辺機器、電圧調整器、および電力管理回路など、様々な他の回路をリンクし得るが、これらの回路は当技術分野においてよく知られており、したがって、これ以上説明しない。
【００７５】
[0090]処理システム１６１４はトランシーバ１６１０に結合され得る。トランシーバ１６１０は、１つまたは複数のアンテナ１６２０に結合される。トランシーバ１６１０は、伝送媒体を介して様々な他の装置と通信するための手段を与える。トランシーバ１６１０は、１つまたは複数のアンテナ１６２０から信号を受信し、受信された信号から情報を抽出し、抽出された情報を処理システム１６１４、特に受信モジュール１５０４に与える。さらに、トランシーバ１６１０は、処理システム１６１４、特に送信モジュール１５１４から情報を受信し、受信された情報に基づいて、１つまたは複数のアンテナ１６２０に適用されるべき信号を生成する。処理システム１６１４は、コンピュータ可読媒体／メモリ１６０６に結合されたプロセッサ１６０４を含む。プロセッサ１６０４は、コンピュータ可読媒体／メモリ１６０６に記憶されたソフトウェアの実行を含む一般的な処理を担当する。ソフトウェアは、プロセッサ１６０４によって実行されたとき、処理システム１６１４に、特定の装置のための上記で説明した様々な機能を実施させる。コンピュータ可読媒体／メモリ１６０６はまた、ソフトウェアを実行するときにプロセッサ１６０４によって操作されるデータを記憶するために使用され得る。処理システムは、モジュール１５０４、１５０６、１５０８、１５１０、１５１２、および１５１４のうちの少なくとも１つをさらに含む。それらのモジュールは、プロセッサ１６０４中で動作するか、コンピュータ可読媒体／メモリ１６０６中に常駐する／記憶されたソフトウェアモジュールであるか、プロセッサ１６０４に結合された１つまたは複数のハードウェアモジュールであるか、またはそれらの何らかの組合せであり得る。処理システム１６１４は、ＵＥ６５０の構成要素であり得、メモリ６６０、および／またはＴＸプロセッサ６６８と、ＲＸプロセッサ６５６と、コントローラ／プロセッサ６５９とのうちの少なくとも１つを含み得る。
【００７６】
[0091]一構成では、ワイヤレス通信のための装置１５０２／１５０２’は、基準信号を送信するようにとの命令を基地局から受信するための手段と、第２のセル中の第２のＵＥからの基準信号を検出するための手段と、ここにおいて、決定が検出された基準信号に基づき、第１のセル中の第１のＵＥが第２のセル中の第２のＵＥに干渉しているかどうかを決定するための手段と、第１のＵＥが第２のセル中の第２のＵＥからの基準信号を検出したことを示すメッセージを基地局に送るための手段と、第１のセル中の第１のＵＥが第２のセル中の第２のＵＥに干渉しているとき、第１のセルのためのサブチャネルのサブセットからの少なくとも１つのサブチャネルの割振りを受信するための手段と、サブチャネルのサブセットが、第２のセル中の少なくとも第２のＵＥへの干渉を低減するように構成された、を含む。上述の手段は、上述の手段によって具陳された機能を実施するように構成された、装置１５０２、および／または装置１５０２’の処理システム１６１４の上述のモジュールのうちの１つまたは複数であり得る。上記で説明したように、処理システム１６１４は、ＴＸプロセッサ６６８と、ＲＸプロセッサ６５６と、コントローラ／プロセッサ６５９とを含み得る。したがって、一構成では、上述の手段は、上述の手段によって具陳された機能を実施するように構成された、ＴＸプロセッサ６６８と、ＲＸプロセッサ６５６と、コントローラ／プロセッサ６５９とであり得る。
【００７７】
[0092]開示したプロセス／フローチャート中のステップの特定の順序または階層は、例示的な手法の一例であることを理解されたい。設計上の選好に基づいて、プロセス／フローチャート中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示した特定の順序または階層に限定されるものではない。
【００７８】
[0093]以上の説明は、当業者が本明細書で説明した様々な態様を実施することができるように与えられた。これらの態様に対する様々な変更は当業者には容易に明らかであり、本明細書で定義した一般原理は他の態様に適用され得る。したがって、特許請求の範囲は、本明細書に示した態様に限定されるものではなく、特許請求の言い回しに矛盾しない全範囲を与えられるべきであり、単数形の要素への言及は、そのように明記されていない限り、「唯一無二の」を意味するものではなく、「１つまたは複数の」を意味するものである。「例示的」という単語は、本明細書では、「例、事例、または例示の働きをすること」を意味するために使用する。「例示的」として本明細書で説明するいかなる態様も、必ずしも他の態様よりも好適または有利であると解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ただし、いずれのそのような組合せも、Ａ、Ｂ、またはＣのうちの１つまたは複数のメンバーを含み得る。当業者に知られている、または後に知られることになる、本開示全体にわたって説明した様々な態様の要素のすべての構造的および機能的均等物は、参照により本明細書に明確に組み込まれ、特許請求の範囲に包含されるものである。さらに、本明細書で開示したいかなることも、そのような開示が特許請求の範囲に明示的に具陳されているかどうかにかかわらず、公に供するものではない。いかなるクレーム要素も、その要素が「ための手段」という語句を使用して明確に具陳されていない限り、ミーンズプラスファンクションとして解釈されるべきではない。
以下に本願発明の当初の特許請求の範囲に記載された発明を付記する。
［Ｃ１］
第１のセルのためのサブチャネルのサブセットを決定することと、サブチャネルの前記サブセットが、第２のセル中の少なくとも第２のＵＥへの干渉を低減するように構成され、
前記第１のセル中の第１のユーザ機器（ＵＥ）が第２のセル中の第２のＵＥに干渉しているかどうかを決定することと、
前記第１のセル中の前記第１のＵＥが前記第２のセル中の前記第２のＵＥに干渉しているとき、サブチャネルの前記サブセットからの少なくとも１つのサブチャネルを前記第１のＵＥに割り振ることと
を備える、ワイヤレス通信の方法。
［Ｃ２］
前記第１のセルのためのサブチャネルの前記サブセット中のサブチャネルが前記第２のセルのためのサブチャネルのサブセットから除外される、Ｃ１に記載の方法。
［Ｃ３］
サブチャネルの前記サブセットを前記第１のセルのセクタに割り当てることをさらに備え、サブチャネルの前記サブセットが、前記第１のセルの前記セクタに隣接する前記第２のセルのセクタ中の少なくとも前記第２のＵＥへの干渉を低減するようにさらに構成された、Ｃ１に記載の方法。
［Ｃ４］
前記第１のＵＥが位置する現在セクタを決定することをさらに備え、ここにおいて、前記割振りが前記現在セクタに基づく、Ｃ３に記載の方法。
［Ｃ５］
前記第１のセル中の前記第１のＵＥが前記第２のセル中の前記第２のＵＥに干渉していないとき、すべてのサブチャネルが前記第１のセル中の前記第１のＵＥにとって利用可能である、Ｃ１に記載の方法。
［Ｃ６］
前記第１のセル中の前記第１のＵＥから、前記第１のＵＥが前記第２のセル中の前記第２のＵＥからの基準信号を検出したことを示すメッセージを受信することをさらに備え、ここにおいて、前記決定が前記メッセージに基づく、Ｃ１に記載の方法。
［Ｃ７］
基準信号を送信するようにとの命令を前記第１のＵＥに送ることと、
前記基準信号が前記第２のセル中の前記第２のＵＥによって検出されたことを示すメッセージを受信することとをさらに備え、
ここにおいて、前記決定が前記受信されたメッセージに基づく、
Ｃ１に記載の方法。
［Ｃ８］
前記メッセージが、前記第１のＵＥ、前記第２のＵＥ、または前記第２のセルのうちの少なくとも１つから受信される、Ｃ７に記載の方法。
［Ｃ９］
前記第２のセルが前記第１のセルに隣接する、Ｃ１に記載の方法。
［Ｃ１０］
前記第１のＵＥが、前記第１のセル中のデバイスツーデバイス（Ｄ２Ｄ）ペア中の送信機であり、前記少なくとも１つのサブチャネルがＤ２Ｄ通信のためのものである、Ｃ１に記載の方法。
［Ｃ１１］
前記第１のセル中の第３のＵＥから報告を受信することをさらに備え、前記第３のＵＥが前記Ｄ２Ｄペア中の受信機であり、ここにおいて、前記報告が前記サブチャネルのうちの１つまたは複数についてのチャネル品質情報を備え、ここにおいて、前記割振りが前記報告に基づく、Ｃ１０に記載の方法。
［Ｃ１２］
第１のユーザ機器（ＵＥ）のワイヤレス通信の方法であって、
第１のセル中の前記第１のＵＥが第２のセル中の第２のＵＥに干渉しているかどうかを決定することと、
前記第１のセル中の前記第１のＵＥが前記第２のセル中の前記第２のＵＥに干渉しているとき、前記第１のセルのためのサブチャネルのサブセットからの少なくとも１つのサブチャネルの割振りを受信することと、サブチャネルの前記サブセットが、前記第２のセル中の少なくとも前記第２のＵＥへの干渉を低減するように構成された、
を備える、方法。
［Ｃ１３］
前記第１のセルのためのサブチャネルの前記サブセット中のサブチャネルが前記第２のセルのためのサブチャネルのサブセットから除外される、Ｃ１２に記載の方法。
［Ｃ１４］
サブチャネルの前記サブセットが前記第１のセルのセクタに割り当てられ、サブチャネルの前記サブセットが、前記第１のセルの前記セクタに隣接する前記第２のセルのセクタ中の少なくとも前記第２のＵＥへの干渉を低減するようにさらに構成された、Ｃ１２に記載の方法。
［Ｃ１５］
前記割振りが前記第１のＵＥの現在セクタに基づく、Ｃ１４に記載の方法。
［Ｃ１６］
前記第１のセル中の前記第１のＵＥが前記第２のセル中の前記第２のＵＥに干渉していないとき、すべてのサブチャネルが前記第１のセル中の前記第１のＵＥにとって利用可能である、Ｃ１２に記載の方法。
［Ｃ１７］
前記第２のセル中の前記第２のＵＥからの基準信号を検出することをさらに備え、ここにおいて、前記決定が前記検出された基準信号に基づく、Ｃ１２に記載の方法。
［Ｃ１８］
前記第１のＵＥが前記第２のセル中の前記第２のＵＥからの基準信号を検出したことを示すメッセージを基地局に送ることをさらに備える、Ｃ１７に記載の方法。
［Ｃ１９］
基準信号を送信するようにとの命令を基地局から受信することをさらに備える、Ｃ１２に記載の方法。
［Ｃ２０］
前記第２のセルが前記第１のセルに隣接する、Ｃ１２に記載の方法。
［Ｃ２１］
前記第１のＵＥが、前記第１のセル中のデバイスツーデバイス（Ｄ２Ｄ）ペア中の送信機であり、前記少なくとも１つのサブチャネルがＤ２Ｄ通信のためのものである、Ｃ１２に記載の方法。
［Ｃ２２］
第１のセルのためのサブチャネルのサブセットを決定するための手段と、サブチャネルの前記サブセットが、第２のセル中の少なくとも第２のＵＥへの干渉を低減するように構成され、
前記第１のセル中の第１のユーザ機器（ＵＥ）が第２のセル中の第２のＵＥに干渉しているかどうかを決定することと、
前記第１のセル中の前記第１のＵＥが前記第２のセル中の前記第２のＵＥに干渉しているとき、サブチャネルの前記サブセットからの少なくとも１つのサブチャネルを前記第１のＵＥに割り振るための手段と
を備える、ワイヤレス通信のための装置。
［Ｃ２３］
サブチャネルの前記サブセットを前記第１のセルのセクタに割り当てるための手段をさらに備え、サブチャネルの前記サブセットが、前記第１のセルの前記セクタに隣接する前記第２のセルのセクタ中の少なくとも前記第２のＵＥへの干渉を低減するようにさらに構成された、Ｃ２２に記載の装置。
［Ｃ２４］
前記第１のＵＥが位置する現在セクタを決定するための手段をさらに備え、ここにおいて、前記割振りが前記現在セクタに基づく、Ｃ２３に記載の装置。
［Ｃ２５］
前記第１のセル中の前記第１のＵＥから、前記第１のＵＥが前記第２のセル中の前記第２のＵＥからの基準信号を検出したことを示すメッセージを受信するための手段をさらに備え、ここにおいて、前記決定が前記メッセージに基づく、Ｃ２２に記載の装置。
［Ｃ２６］
基準信号を送信するようにとの命令を前記第１のＵＥに送るための手段と、
前記基準信号が前記第２のセル中の前記第２のＵＥによって検出されたことを示すメッセージを受信するための手段とをさらに備え、
ここにおいて、前記決定が前記受信されたメッセージに基づく、
Ｃ２２に記載の装置。
［Ｃ２７］
第１のセル中の第１のＵＥが第２のセル中の第２のＵＥに干渉しているかどうかを決定するための手段と、
前記第１のセル中の前記第１のＵＥが前記第２のセル中の前記第２のＵＥに干渉しているとき、前記第１のセルのためのサブチャネルのサブセットからの少なくとも１つのサブチャネルの割振りを受信するための手段と、サブチャネルの前記サブセットが、前記第２のセル中の少なくとも前記第２のＵＥへの干渉を低減するように構成された、
を備える、ワイヤレス通信のための装置。
［Ｃ２８］
前記第１のセルのためのサブチャネルの前記サブセット中のサブチャネルが前記第２のセルのためのサブチャネルのサブセットから除外される、Ｃ２７に記載の装置。
［Ｃ２９］
前記第２のセル中の前記第２のＵＥからの基準信号を検出するための手段をさらに備え、ここにおいて、前記決定が前記検出された基準信号に基づく、Ｃ２７に記載の装置。
［Ｃ３０］
前記第１のＵＥが前記第２のセル中の前記第２のＵＥからの基準信号を検出したことを示すメッセージを基地局に送るための手段をさらに備える、Ｃ２９に記載の装置。
【図１】
0006556744.tif 000002
【図２】
0006556744.tif 000003
【図３】
0006556744.tif 000004
【図４】
0006556744.tif 000005
【図５】
0006556744.tif 000006
【図６】
0006556744.tif 000007
【図７】
0006556744.tif 000008
【図８】
0006556744.tif 000009
【図９】
0006556744.tif 000010
【図１０】
0006556744.tif 000011
【図１１】
0006556744.tif 000012
【図１２】
0006556744.tif 000013
【図１３】
0006556744.tif 000014
【図１４】
0006556744.tif 000015
【図１５】
0006556744.tif 000016
【図１６】
0006556744.tif 000017